(57)【要約】【課題】ポータブルタイプのテレビ受信機は、電波受信強度が場所によって異なり、ユーザが視聴できないチャンネルが存在するため、ユーザがリモコンで視聴希望のチャンネルを指定したとしても視聴できない場合がある。【解決手段】デジタルテレビ放送を受信するテレビ受信機であって、デジタルテレビ放送を受信するＲＦ部と、前記ＲＦ部の受信周波数を定期的に切り替えるチャンネル制御部と、前記ＲＦ部から出力される前記デジタルテレビ放送の受信電界強度を解析する放送伝送路解析部と、他の機器と通信する通信部と、前記通信部の受信パラメータを解析するデータ解析部と、前記放送伝送路解析部と前記データ解析部の結果に応じてリモコンデータを作成するリモコンデータ作成部と、前記リモコンデータをリモコンへ送信するリモコン通信部と、を備えることを特徴とするテレビ受信機。【選択図】図３
2010098353.tif 000002
【特許請求の範囲】
【請求項１】
デジタルテレビ放送を受信するテレビ受信機であって、
デジタルテレビ放送を受信するＲＦ部と、
前記ＲＦ部の受信周波数を定期的に切り替えるチャンネル制御部と、
前記ＲＦ部から出力される前記デジタルテレビ放送の受信電界強度を解析する放送伝送路解析部と、
他の機器と通信する通信部と、
前記通信部の受信パラメータを解析するデータ解析部と、
前記放送伝送路解析部と前記データ解析部の結果に応じてリモコンデータを作成するリモコンデータ作成部と、
前記リモコンデータをリモコンへ送信するリモコン通信部と、を備えることを特徴とするテレビ受信機。
【請求項２】
前記放送伝送路解析部は、デジタルテレビ放送の受信電界強度の閾値を記憶し、前記閾値より受信チャンネルの受信電界強度が良好である場合、前記受信チャンネルを含むリモコンデータを作成することを特徴とする請求項１に記載のテレビ受信機。
【請求項３】
前記他の機器と通信する通信部は、ＤＬＮＡ（Ｄｉｇｉｔａｌ  Ｌｉｖｉｎｇ  Ｎｅｔｗｏｒｋ  Ａｌｌｉａｎｃｅ）規格に準拠した通信の送受信処理を行うＤＬＮＡ通信部であり、
前記データ解析部は、前記ＤＬＮＡ通信部で受信処理された受信パラメータを解析するＤＬＮＡデータ伝送路解析部であること特徴とする請求項１に記載のテレビ受信機。
【請求項４】
前記ＤＬＮＡデータ伝送路解析部は、前記通信部の受信電界強度または伝送レートの閾値を記憶することを特徴とする請求項３に記載のテレビ受信機。
【請求項５】
前記ＤＬＮＡデータ伝送路解析部は、ＤＬＮＡ通信相手先と、自身がＤＬＮＡサーバであるのか、クライアントであるのかというデータを交互にやり取りすることで、前記ＤＬＮＡ通信相手先とサーバ−クライアントの関係で通信できるか認識することを特徴とする請求項３に記載のテレビ受信機。
【請求項６】
前記リモコンデータ作成部は、前記通信部の受信電界強度または伝送レートが、前記記憶された閾値を超え、且つ、前記ＤＬＮＡデータ伝送路解析部がＤＬＮＡ通信ができると判断した場合、ＤＬＮＡ通信ができるという内容のリモコンデータを作成することを特徴とする請求項５に記載のテレビ受信機。
【請求項７】
請求項１乃至請求項６のいずれかに記載のテレビ受信機が送信したリモコンデータを受信する無線通信部と、前記無線通信部で受信したリモコンデータに応じて、チャンネルボタンやＤＬＮＡに該当するボタンを制御するボタン制御部と、を備えるリモコン。
【請求項８】
前記ボタン制御部は、チャンネルボタンやＤＬＮＡに該当するボタンの配下にある発光デバイスを制御することを特徴とする請求項７に記載のリモコン。
【発明の詳細な説明】
【技術分野】
【０００１】
本発明は、デジタルテレビ放送を受信するテレビ受信機、および前記テレビ受信機を遠隔制御するリモートコントローラ（以下、リモコンと記載）に関するものである。
【背景技術】
【０００２】
２００３年１２月１日から関東、近畿、中京の３大広域圏で開始された地上デジタルテレビ放送は、２００６年１２月には、全国の都道府県庁所在地で視聴できるようになった。また、２０１１年７月２４日には、現行の地上アナログテレビ放送が終了する。そのため、地上デジタルテレビ放送に対応したテレビ受信機の需要が拡大している。地上デジタルテレビ放送に対応したテレビ受信機は、大画面のプラズマテレビや液晶テレビなどに代表される据え置きタイプのものや、車載テレビやポータブルテレビなどに代表されるポータブルタイプのものがある。通常、ユーザがこれらのテレビ受信機を遠隔操作する場合には、リモコンを使用することになるが、できる限りユーザにとって使い勝手の良いリモコンが好ましい。
【０００３】
このように、ユーザの使い勝手を向上させたリモコンが下記の特許文献で開示されている。特許文献１では、図１に示すように、テレビ受信機内の選局・復調部で復調されたＴＳ信号を、受信信号解釈部で解析し、現在視聴中の番組の音声切替や字幕表示が有効であるか否かを判定する。これらが有効である場合、前記テレビ受信機内の表示信号変調・送信部が、前記判定結果をリモコン側に送信する。前記判定結果を受信したリモコンは、音声切り替えや字幕表示が有効である場合、それらの操作キーを発光させたりする。このような構成により、ユーザは現在使用可能な操作キーを認識することができ、無駄なボタンや操作キーを押したりすることがなくなり、リモコンの使い勝手が向上する。
【特許文献１】特開２００５−７３０２２号公報
【発明の開示】
【発明が解決しようとする課題】
【０００４】
しかしながら、前記従来の方法では、ポータブルタイプのテレビ受信機を想定した場合、新たな課題が生じる。ポータブルタイプのテレビ受信機は、そもそも色々な場所に持ち運び、視聴することから、電波受信強度が場所によって異なり、ユーザが視聴できないチャンネルが存在する。このような場合、従来のテレビ受信機とは異なり、例えばユーザが２チャンネルを見たい場合でも、２チャンネルが実際に視聴できるかどうか分からない。そのため、ユーザが従来通り、リモコンで２チャンネルを指定したとしても視聴できない場合がある。
【０００５】
また、図２に示すように、今後テレビ受信機２００には、ハードディスク（ＨＤＤ）レコーダのようなストレージ２０２などの家電と相互接続を行うために、ＤＬＮＡ（Ｄｉｇｉｔａｌ  Ｌｉｖｉｎｇ  Ｎｅｔｗｏｒｋ  Ａｌｌｉａｎｃｅ）規格に準拠した無線ＬＡＮなどの通信手段を搭載することが予想される。ＤＬＮＡに準拠した通信手段がテレビ受信機２００やハードディスクレコーダのようなストレージ２０２に搭載されると、テレビ受信機２００がハードディスクレコーダのようなストレージ２０２のコンテンツを受信し、それをユーザが視聴することが考えられる。このような場合、ポータブルタイプのテレビ受信機２００は、常にハードディスクレコーダのようなストレージ２０２と通信できる場所にあるとは限らないため、ユーザがリモコン２０１でＤＬＮＡ通信によるコンテンツ受信を指定したとしても視聴できない場合がある。
【０００６】
本発明は、上記の課題を解決するもので、デジタルテレビ放送の各チャンネルの受信電界強度やＤＬＮＡ通信の可否を解析し、視聴可能なチャンネル番号やＤＬＮＡ通信の可否をリモコンに送信する。これにより、視聴可能なリモコン上のチャンネルボタンやＤＬＮＡ通信に該当するボタンを発光させたり、逆に、視聴不可能なチャンネルボタンをロックしたりすることができ、使い勝手の良いリモコンを提供することを目的とする。
【課題を解決するための手段】
【０００７】
前記従来の課題を解決するために、本発明のテレビ受信機は、デジタルテレビ放送を受信するＲＦ部と、前記ＲＦ部の受信周波数を定期的に切り替えるチャンネル制御部と、前記ＲＦ部から出力される前記デジタルテレビ放送の受信電界強度を解析する放送伝送路解析部と、他の機器と通信する通信部と、前記通信部の受信パラメータを解析するデータ解析部と、前記放送伝送路解析部と前記データ解析部の結果に応じてリモコンデータを作成するリモコンデータ作成部と、前記リモコンデータをリモコンへ送信するリモコン通信部と、を備えることを特徴とするものである。
【０００８】
この構成により、視聴可能なリモコン上のチャンネルボタンやＤＬＮＡ通信に該当するボタンを発光させたり、逆に、視聴不可能なチャンネルボタンをロックしたりすることができ、リモコンの使い勝手が向上する。
【発明の効果】
【０００９】
本発明のテレビ受信システムによれば、視聴可能なリモコン上のチャンネルボタンやＤＬＮＡ通信に該当するボタンを発光させたり、視聴不可能なチャンネルボタンをロックしたりする。そのため、ユーザが無駄なボタンを押すことを防止でき、リモコンの使い勝手が向上する。
【発明を実施するための最良の形態】
【００１０】
（第１の実施の形態）
本発明の第１の実施の形態におけるテレビ受信機およびリモコンから構成されるテレビ受信システムにおいて、テレビ受信機の内部構成を図３に、リモコンの内部構成を図４に示す。まず、ユーザがデジタルテレビ放送を視聴する場合を説明する。
【００１１】
ユーザが、リモコン４００のボタン入力部４０１で見たい番組のチャンネルに該当するボタンを押すと、前記チャンネル番号の情報が無線通信部４０３でテレビ受信機３００に送信される。前記チャンネル番号の情報は、テレビ受信機３００のリモコン通信部３０５で受信される。なお、前記無線通信部３０３、および前記リモコン通信部３０５は双方向の通信部であり、赤外線通信などの通信デバイスを複数用いて構成しても良い。
【００１２】
次に、前記チャンネル番号の情報は、リモコン信号解析部３０９にて、チャンネル変更の情報なのか、その他の情報なのか解析する。チャンネル変更の情報の場合、ＲＦ部３０２を制御して該当するチャンネルに切り替える。
【００１３】
前記ＲＦ部３０２から出力されるデジタルテレビ放送の放送信号は、ベースバンド処理部３１０でＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調処理され、ＴＳ（Ｔｒａｎｓｐｏｒｔ  Ｓｔｒｅａｍ）信号として出力される。その後、前記ＴＳ信号はデマックス部３１２で、映像信号と音声信号に分離される。前記映像信号は、映像処理部３１３で、デジタル−アナログ変換され、表示パネルなどの映像出力部３１５に出力される。一方、前記音声信号は、音声処理部３１４で、デジタル−アナログ変換され、スピーカなどの音声出力部３１６に出力される。
【００１４】
ユーザがデジタルテレビ放送を視聴している間、チャンネル制御部３０３は定期的に、もう１つのＲＦ部３０１の受信周波数を変更する。前記ＲＦ部３０１が出力する各チャンネルの放送信号の受信電界強度は、放送伝送路解析部３０７により解析される。前記放送伝送路解析部３０７は、予め受信電界強度の閾値を記憶しており、前記閾値より受信電界強度の良好なチャンネルがあれば、リモコンデータ作成部３０４にリモコンデータ作成依頼を出す。前記リモコンデータは、受信電界強度が良好なチャンネルの番号を含むデータである。その後、前記リモコンデータは、リモコン通信部３０５にて、リモコン４００に送信される。
【００１５】
前記リモコン４００は、無線通信部４０３で前記リモコンデータを受信すると、ボタン制御部４０２に出力する。図７に示すように、前記リモコン２００の各チャンネルのボタン７１０の配下には、発光素子７１１などの発光デバイスが設けられている。前記ボタン制御部４０２は、前記受信電界強度が良好なチャンネルの前記ボタン７１０の配下にある前記発光素子７１１を発光させる。一例として、前記ボタン７１０は半透明、もしくは透明のものを使用し、前記発光素子７１１は、ＬＥＤ（Ｌｉｇｈｔ  Ｅｍｉｔｔｉｎｇ  Ｄｉｏｄｅ）を使用する。
【００１６】
なお、前記ボタン７１０の配下に、電圧変化などにより、前記ボタン７１０をロックするハードウェア機構を設け、前記ボタン制御部４０２が、前記受信電界強度の良好なチャンネル以外のボタン７１０をロックさせても良い。一例として、ボタン７１０と接点部７２２との間に、ピン７２１を挟み、前記ピン７２１を前記ボタン制御部４０２の電圧変化で制御するプッシュ式ソレノイド７２０を使用する。これにより、前記ボタン制御部４０２が、前記受信電界強度の良好なチャンネル以外のボタン７１０の配下にあるソレノイド７２０を制御し、前記ソレノイド７２０内のピン７２１を出力させ、前記ボタン７１０をロックさせる。
【００１７】
このように、リモコンで視聴可能なチャンネルボタン発光させたり、あるいは、視聴不可能なチャンネルボタンをロックしたりすることで、ユーザがリアルタイムに視聴可能なチャンネル番号を認識することができる。そのため、無駄なボタンを押すことを防止でき、リモコンの使い勝手が向上する。
【００１８】
次に、ユーザがＤＬＮＡ通信によるＤＬＮＡサーバのコンテンツを視聴する場合を説明する。前記テレビ受信機２００内のＤＬＮＡ通信部２０６は、ＤＬＮＡの通信やパケット処理を行い、常時、ＤＬＮＡ伝送路（ここでは、無線ＬＡＮの伝送路を想定する）のデータをモニタしている。前記ＤＬＮＡ伝送路のデータはビーコンなどの制御データも含まれ、前記データの受信電界強度や伝送レートはＤＬＮＡデータ・伝送路解析部２０８で解析される。
【００１９】
なお、前記テレビ受信機２００が、ＤＬＮＡ通信相手先と、自身がＤＬＮＡサーバであるのか、クライアントであるのかというデータ（パケット）を交互にやり取りすることで、前記ＤＬＮＡ通信相手先とサーバ−クライアントの関係で通信できるか認識することができる。このような情報のやり取りは、前記ＤＬＮＡ通信部２０６で行う。
【００２０】
前記ＤＬＮＡデータ・伝送路解析部２０８は、前記ＤＬＮＡ通信相手先と通信でき、且つ、前記ＤＬＮＡ通信相手先との受信電界強度や（または）伝送レートが事前に記憶している閾値を超える場合、ＤＬＮＡ通信ができると判断する。ＤＬＮＡ通信ができると判断した場合、リモコンデータ作成部２０４は、ＤＬＮＡ通信ができるという旨のリモコンデータを作成する。前記リモコンデータは、リモコン通信部２０５にて、リモコン４００に送信される。
【００２１】
前記リモコン４００は、無線通信部４０３でリモコンデータを受信すると、ボタン制御部４０２に出力する。上記で説明したように、前記ボタン制御部４０２は、ＤＬＮＡ通信ができることを示すために、該当するボタン７１０の配下にある発光素子７１１を発光させる。または、前記ボタンの配下にボタンをロックするハードウェア機構を設け、ＤＬＮＡ通信ができない場合、前記ボタン制御部４０２が、該当するボタンをロックさせても良い。
【００２２】
なお、ユーザが、前記リモコン４００でＤＬＮＡに該当するボタンを押し、その情報が前記テレビ受信機２００に送信された場合、前記テレビ受信機２００の切替部２１１は、ＤＬＮＡデータを出力するように経路を切り替える。
【００２３】
このように、ＤＬＮＡ通信に該当するボタンを発光させたり、ロックしたりすることで、ユーザが無駄なボタンを押すことを防止でき、リモコンの使い勝手が向上する。
【００２４】
（第２の実施の形態）
本発明の第２の実施の形態におけるテレビ受信機の内部構成を図５に示す。なお、リモコンの内部構成は、第１の実施の形態と同一である。ユーザがデジタルテレビ放送を視聴する場合を説明する。本実施の形態では、第１の実施の形態で説明したテレビ受信機のＲＦ部が１つの場合である。
【００２５】
ユーザが、テレビ受信機５００に電源を投入した直後のみ、一定時間、チャンネル制御部５０２が動作し、ＲＦ部５０１の受信周波数を変更する。前記ＲＦ部５０１が出力する各チャンネルの放送信号の受信電界強度は、放送伝送路解析部５０６により解析される。前記放送伝送路解析部５０６は、予め受信電界強度の閾値を記憶しており、前記閾値より受信電界強度の良好なチャンネルがあれば、リモコンデータ作成部５０３にリモコンデータ作成依頼を出す。前記リモコンデータは、受信電界強度が良好なチャンネルの番号を含むデータである。
【００２６】
その後、前記リモコンデータは、リモコン通信部５０４でリモコン４００に送信される。前記リモコン４００は、無線通信部４０３で前記リモコンデータを受信すると、ボタン制御部４０２に出力する。第１の実施の形態で説明したように、前記ボタン制御部４０２は、前記受信電界強度が良好なチャンネルのボタン７１０の配下にある発光素子７１１を発光させる。または、前記ボタン７１０の配下に、前記ボタン７１０をロックするハードウェア機構を設け、前記ボタン制御部４０２が、前記受信電界強度が良好なチャンネル以外のボタンをロックさせても良い。
【００２７】
このように、リモコンで視聴可能なチャンネルボタン発光させたり、視聴不可能なチャンネルボタンをロックしたりすることで、ユーザがリアルタイムに視聴可能なチャンネル番号を認識することができる。そのため、無駄なボタンを押すことを防止でき、リモコンの使い勝手が向上する。
【００２８】
また、本実施の形態では、電源を投入してからデジタルテレビ放送の伝送路の環境が大きく変化しない場合などに適用できる。例えば、電源を投入してからテレビ受信機を持ち運ばない場合などに適用できる。
【００２９】
なお、ＤＬＮＡで通信する動作は、第１の実施の形態と同一のため説明を割愛する。
【００３０】
（第３の実施の形態）
本発明の第３の実施の形態におけるテレビ受信機の内部構成を図６に示す。なお、リモコンの内部構成は、第１の実施の形態と同一である。本実施の形態では、第１の実施の形態で説明したテレビ受信機のリモコン通信部とＤＬＮＡ通信部を共通化する場合である。
【００３１】
まず、ユーザがデジタルテレビ放送を視聴する場合を説明する。ユーザが、リモコン４００のボタン入力部４０１で見たい番組のチャンネルに該当するボタンを押すと、前記チャンネル番号の情報が無線通信部４０３でテレビ受信機６００に送信される。
【００３２】
前記チャンネル番号の情報は、テレビ受信機６００の無線通信部６０５で受信される。前記無線通信部６０５は、無線ＬＡＮなどの双方向の通信部を想定する。
【００３３】
次に、前記チャンネル番号の情報は、前記無線通信部６０５で受信処理された後、無線データ分離部６０８にて、チャンネル変更の情報なのか、その他の情報なのか解析し分離する。チャンネル変更の情報の場合、ＲＦ部６０２を制御して該当するチャンネルに切り替える。
【００３４】
なお、前記ＲＦ部６０２から出力されるデジタルテレビ放送の放送信号が最終的に映像表示部、および音声出力部に出力されるまでの動作は、第１の実施の形態と同一であるため、説明を割愛する。
【００３５】
ユーザがデジタルテレビ放送を視聴している間、チャンネル制御部６０３は定期的に、もう１つのＲＦ部６０１の受信周波数を変更する。前記ＲＦ部６０１が出力する各チャンネルの放送信号の受信電界強度は、放送伝送路解析部６０６により解析される。前記放送伝送路解析部６０６は、予め受信電界強度の閾値を記憶しており、前記閾値より受信電界強度の良好なチャンネルがあれば、リモコンデータ作成部６０４にリモコンデータ作成依頼を出す。前記リモコンデータは、受信電界強度が良好なチャンネルの番号を含むデータである。その後、前記リモコンデータは、無線通信部６０５にて、リモコン４００に向けて送信される。
【００３６】
前記リモコン４００は、無線通信部４０３で前記リモコンデータを受信すると、ボタン制御部４０２に出力する。第１の実施の形態で説明したように、前記ボタン制御部４０２は、前記受信電界強度が良好なチャンネルのボタン７１０の配下にある発光素子７１１を発光させる。または、前記ボタン７１０の配下に、前記ボタン７１０をロックするハードウェア機構を設け、前記ボタン制御部４０２が、前記受信電界強度が良好なチャンネル以外のボタンをロックさせても良い。
【００３７】
このように、リモコンで視聴可能なチャンネルボタン発光させたり、視聴不可能なチャンネルボタンをロックしたりすることで、ユーザがリアルタイムに視聴可能なチャンネル番号を認識することができる。そのため、無駄なボタンを押すことを防止でき、リモコンの使い勝手が向上する。
【００３８】
次に、ユーザがＤＬＮＡ通信によるＤＬＮＡサーバのコンテンツを視聴する場合を説明する。前記無線データ分離部６０８で分離されたＤＬＮＡデータは、ＤＬＮＡデータ・伝送路解析部６０７により解析される。前記ＤＬＮＡデータ・伝送路解析部６０７は、常時ＤＬＮＡ伝送路（ここでは、無線ＬＡＮを想定する）の受信電界強度と、ＤＬＮＡデータ（ビーコンなどの制御データも含む）をモニタしている。なお、前記テレビ受信機６００が、ＤＬＮＡ通信相手先と、自身がＤＬＮＡサーバであるのか、クライアントであるのかというデータ（パケット）を交互にやり取りすることで、前記ＤＬＮＡ通信相手先とサーバ−クライアントの関係で通信できるか認識することができる。このような情報のやり取りは、前記無線通信部６０５で行う。
【００３９】
前記ＤＬＮＡデータ・伝送路解析部６０７は、前記ＤＬＮＡ通信相手先と通信でき、且つ、前記ＤＬＮＡ通信相手先との受信電界強度や（または）伝送レートが事前に記憶している閾値を超える場合、ＤＬＮＡ通信ができると判断する。
【００４０】
ＤＬＮＡ通信ができる場合、リモコンデータ作成部６０４は、ＤＬＮＡ通信ができるという旨のリモコンデータを作成する。前記リモコンデータは、無線通信部６０５にて、リモコン４００に向けて送信される。
【００４１】
前記リモコン４００は、無線通信部４０３でリモコンデータを受信すると、ボタン制御部４０２に出力する。第１の実施の形態で説明したように、前記ボタン制御部４０２は、ＤＬＮＡ通信ができることを示すために、該当するボタンの配下にある発光デバイスを発光させる。または、前記ボタンの配下にボタンをロックするハードウェア機構を設け、ＤＬＮＡ通信ができない場合、前記ボタン制御部４０２が、該当するボタンをロックさせても良い。
【００４２】
このように、ＤＬＮＡ通信に該当するボタンを発光させたり、ロックしたりすることで、ユーザが無駄なボタンを押すことを防止でき、リモコンの使い勝手が向上する。
【００４３】
なお、本実施の形態のＲＦ部６０１とＲＦ部６０２を１つにまとめる場合は、第２の実施の形態で説明したように、電源を投入したときのみ、リモコン４００の視聴可能なボタンを発光させたり、ロックしたりする構成となる。
【産業上の利用可能性】
【００４４】
本発明にかかるテレビ受信システムは、どこへでも持ち運んで視聴するような車載やポータブルタイプのテレビ受信機とそれを遠隔制御するリモコンに適用できる。さらに、据え置きタイプのテレビ受信機やそれを遠隔制御するリモコンに応用できる。
【図面の簡単な説明】
【００４５】
【図１】従来例のテレビ受信システム図
【図２】テレビ受信システムの全体構成図
【図３】本発明の第１の実施の形態におけるテレビ受信機の内部構成図
【図４】本発明のリモコンの内部構成図
【図５】本発明の第２の実施の形態におけるテレビ受信機の内部構成図
【図６】本発明の第３の実施の形態におけるテレビ受信機の内部構成図
【図７】本発明のリモコンのボタン制御部周辺の構成図
【符号の説明】
【００４６】
２００    テレビ受信機
２０１    リモコン
２０２    ハードディスクレコーダなどのストレージ
３００、５００、６００    テレビ受信機
３０１、３０２、５０１、６０１、６０２    ＲＦ部
３０３、５０２、６０３    チャンネル制御部
３０４、５０３、６０４    リモコンデータ作成部
３０５、５０４    リモコン通信部
３０６、５０５    ＤＬＮＡ通信部
３０７、５０６、６０６    放送伝送路解析部
３０８、５０７、６０７    ＤＬＮＡデータ・伝送路解析部
３０９、５０８    リモコン信号解析部
３１０、５０９、６０９    ベースバンド処理部
３１１、５１０、６１０    切替部
３１２、５１１、６１１    デマックス部
３１３、５１２、６１２    映像処理部
３１４、５１３、６１３    音声処理部
３１５、５１４、６１４    映像出力部
３１６、５１５、６１５    音声出力部
４００    リモコン
４０１    ボタン入力部
４０２    ボタン制御部
４０３、６０５    無線通信部
６０８    無線データ分離部
７１０    ボタン
７１１    発光素子
７２０    ソレノイド
７２１    ピン
７２２    接点部
【図１】
2010098353.tif 000003
【図２】
2010098353.tif 000004
【図３】
2010098353.tif 000005
【図４】
2010098353.tif 000006
【図５】
2010098353.tif 000007
【図６】
2010098353.tif 000008
【図７】
2010098353.tif 000009